(57)【要約】  本発明は、内筒を排除し、かつ鏡筒の左右側壁から構造物が突出しないコンパクトなドットサイトを提供する。  鏡筒１０と、鏡筒の前方開口１０ａに固定された対物レンズ２１、２２と、鏡筒の後方開口１０ｂに固定された接眼レンズ２３と、鏡筒内から対物レンズ２２に点像を投影するための光源５０と、光源に電力を供給するための電源供給回路３０と、光源の保持部４１を有し、保持部を上下方向及び左右方向に移動させることによって、対物レンズに投影される前記点像の位置を調整することが可能なドット調整機構４０と、を備えたドットサイトであって、鏡筒は、前方開口の直径が後方開口の直径よりも大きく、少なくとも対物レンズ２２と接眼レンズ２３との間における内面形状が略円錐台となっており、対物レンズ２２と接眼レンズ２３との間の内部空間には、光源及び保持部以外の機械的及び光学的な構造が存在せず、前記点像が光源から対物レンズに直接投影される。
2020049609.tif 000002
【特許請求の範囲】
【請求項１】
鏡筒と、前記鏡筒の前方開口に固定された対物レンズと、前記鏡筒の後方開口に固定された接眼レンズと、前記鏡筒内から前記対物レンズに点像を投影するための光源と、前記光源に電力を供給するための電源供給回路と、前記光源の保持部を有し、前記保持部を上下方向及び左右方向に移動させることによって、前記対物レンズに投影される前記点像の位置を調整することが可能なドット調整機構と、を備えたドットサイトであって、
前記鏡筒は、前記前方開口の直径が前記後方開口の直径よりも大きく、少なくとも前記対物レンズと前記接眼レンズとの間における内面形状が略円錐台となっており、前記対物レンズと前記接眼レンズとの間の内部空間には、前記光源及び前記保持部以外の機械的及び光学的な構造が存在せず、前記点像が前記光源から前記対物レンズに直接投影されるドットサイト。
【請求項２】
前記電源供給回路及び前記ドット調整機構が、いずれも前記鏡筒の上側に設けられた請求項１に記載のドットサイト。
【請求項３】
前記ドット調整機構が、前記光源を上下方向に移動させるための第１機構と、前記第１機構を左右方向に移動させるための第２機構とを含み、
前記第１機構は、前記光源を保持する前記保持部と、前記保持部を支持するスプリングと、前記保持部を上下方向に移動させる第１ねじと、前記保持部を上下方向に案内する第１ガイドピンとを含み、
前記第２機構は、前記保持部の前後に設けられ、前記保持部の左右方向に延び、前記保持部を上下方向に移動可能に保持する第１及び第２移動体と、前記第１移動体を左右方向に貫通し、前記第１移動体を左右方向に移動させる第２ねじと、前記第２移動体を左右方向に貫通し、前記第２移動体を左右方向に案内する第２ガイドピンとを含む、請求項１又は２に記載のドットサイト。
【発明の詳細な説明】
【技術分野】
【０００１】
本発明は、対物レンズに投影された光源の点像をターゲットに重ね合わせて照準するドットサイトに関する。
【背景技術】
【０００２】
ドットサイトは、ハンドガンやライフルなどに用いられる光学照準器である。ドットサイトは、光源の点像を対物レンズに投影させて照準点を形成する。ドットサイトには、鏡筒を有するチューブ式と、鏡筒を有しないオープン式との２種類がある。従来のチューブ式のドットサイトは、例えば、国際公開第０１／０６１９９号（特許文献１）及び国際公開第２００６／１３３０２９号（特許文献２）に開示される。図１２Ａ、Ｂは、従来のチューブ式のドットサイト１００の構成を示す。【０００３】
図１２Ａにおいて、ドットサイト１００は、外筒１１０及び内筒１１１からなる鏡筒を有する。内筒１１１は、外筒１１０の前方開口１１０ａに挿入され、外筒１１０の内部において、上下左右の方向に移動可能な構成となっている。内筒１１１を上下左右の方向に移動可能とするための構成は、例えば、国際公開第２００８／１５３７４１号（特許文献３）の図５Ａに開示される。【０００４】
内筒１１１の前方開口１１１ａには、２枚の対物レンズ１１２が取り付けられる。２枚の対物レンズ１１２の間には、所定波長の光のみを反射する層１１３がコーティングされる。内筒１１１の内側で後方開口１１１ｂの付近には、例えば、ＬＥＤなどの光源１１４が設けられる。光源１１４の発光色は、例えば、赤色である。この場合、２枚の対物レンズ１１２の間の層１１３は、赤色の発光波長の光のみを反射する。なお、外筒１１０の後方開口には、図示しない接眼レンズが取り付けられる。【０００５】
図１２Ａ中の一点鎖線は、光源１１４から出射された光の経路を示す。光源１１４から出射された光は、２枚の対物レンズ１１２の間の層１１３によって反射される。光源１１４の点像は、層１１３の表面に投影され、対物レンズ１１２の中央に照準点（Point of aim：ＰＯＡ）を形成する。射手であるユーザーは、接眼レンズを介してドットサイト１００内を覗いて、対物レンズ１１２の中央に形成された照準点をターゲットに重ね合わせて照準する。【０００６】
ここで、ドットサイト１００の照準点の位置は、ドットサイト１００が使用される銃に応じて調整する必要がある。すなわち、銃の弾道は、様々な要因によって決定されるために一定ではない。このため、ドットサイト１００の照準点の位置は、ドットサイト１００が使用される銃の着弾点の位置と一致するように調整される。この調整は、一般に「ゼロイング」と呼ばれる。従来のドットサイト１００においては、光源１１４が設けられた内筒１１１を上下左右の方向に移動させることにより、照準点の位置を調整していた。
【先行技術文献】
【特許文献】
【０００７】
【特許文献１】国際公開第０１／０６１９９号
【特許文献２】国際公開第２００６／１３３０２９号
【特許文献３】国際公開第２００８／１５３７４１号
【発明の概要】
【発明が解決しようとする課題】
【０００８】
＜機械的な口径食＞
従来のドットサイト１００は、外筒１１０の内部に挿入された内筒１１１により、機械的な口径食（mechanical vignetting）を生じる。機械的な口径食について、図１２Ｂを参照して説明する。図１２Ｂ中の視野線Ｌは、ドットサイト１００の視野、すなわち、ドットサイト１００を通して見える範囲を示す。内筒１１１は、視野線Ｌに干渉しており、ドットサイト１００の視野の周辺に黒い縁（図中の墨塗りの円を参照）を形成する。内筒１１１によって形成された黒い縁は、ドットサイト１００の視野を狭め、迅速かつ正確な照準を困難にする。【０００９】
＜ＰＯＡシフト＞
従来のドットサイト１００は、内筒１１１を上下左右の方向に移動可能とするために、内筒１１１をスプリングによって弾性的に支持した構成となっていた（特許文献３の図５Ａ）。内筒１１１は、金属で作られており、比較的大きな質量を有する。このため、スプリングに支持された内筒１１１は、銃を撃ったときの衝撃（重力加速度）によって動きやすく、ゼロイングした照準点がずれやすい。さらに、スプリングは、常時、重い内筒１１１を支持するとともに、銃を撃ったときの衝撃を吸収するために、疲労しやすく、耐久性が低い。これらの欠点により、従来のドットサイト１００は、長期にわたって高い照準精度を維持することができなかった。【００１０】
＜ＰＯＡの移動量＞
従来のドットサイト１００は、外筒１１０の内部で内筒１１１を上下左右の方向に移動させることによって、照準点の位置を調整する構成となっていた。このため、照準点の移動量が極めて少なかった。外筒１１０の直径を大きくすること、又は内筒１１１の直径を小さくすることにより、照準点の移動量は増大する。しかし、外筒１１０を大きくした場合は、ドットサイト１００が大型化してしまう。一方、内筒１１１を小さくした場合は、上述した機械的な口径食の範囲が広くなってしまう。【００１１】
＜視認性の低下＞
従来のドットサイトは、鏡筒の左右側壁から構造物を突出させた構成となっていた。例えば、特許文献２に開示されたドットサイトは、外筒の左右側壁からバッテリホルダー及びチューブを突出させた構成となっている。また、特許文献３に開示された光学式ガンサイトは、ハウジングの左右側壁から調整アセンブリ及びバイアスアセンブリを突出させた構成となっている。しかし、ユーザーは、両目を開いた状態でドットサイトを使用する。すなわち、ユーザーは、一方の目でドットサイト内を覗き、他方の目でターゲット及びその周辺を視認する。鏡筒の左右側壁から突出する構造物は、ドットサイト内を覗いていない他方の目の視界を妨げ、ユーザーが照準するときの視認性を低下させる。【００１２】
＜発明の目的＞
本発明は、内筒を排除し、かつ鏡筒の左右側壁から構造物が突出しないコンパクトなドットサイトを提供することを目的とする。
【課題を解決するための手段】
【００１３】
（１）上記目的を達成するために、本発明のドットサイトは、鏡筒と、前記鏡筒の前方開口に固定された対物レンズと、前記鏡筒の後方開口に固定された接眼レンズと、前記鏡筒内から前記対物レンズに点像を投影するための光源と、前記光源に電力を供給するための電源供給回路と、前記光源の保持部を有し、前記保持部を上下方向及び左右方向に移動させることによって、前記対物レンズに投影される前記点像の位置を調整することが可能なドット調整機構と、を備えたドットサイトであって、前記鏡筒は、前記前方開口の直径が前記後方開口の直径よりも大きく、少なくとも前記対物レンズと前記接眼レンズとの間における内面形状が略円錐台となっており、前記対物レンズと前記接眼レンズとの間の内部空間には、前記光源及び前記保持部以外の機械的及び光学的な構造が存在せず、前記点像が前記光源から前記対物レンズに直接投影される。【００１４】
（２）好ましくは、上記（１）のドットサイトにおいて、前記電源供給回路及び前記ドット調整機構が、いずれも前記鏡筒の上側に設けられる。【００１５】
（３）好ましくは、上記（１）又は（２）のドットサイトにおいて、前記ドット調整機構が、前記光源を上下方向に移動させるための第１機構と、前記第１機構を左右方向に移動させるための第２機構とを含み、前記第１機構は、前記光源を保持する前記保持部と、前記保持部を支持するスプリングと、前記保持部を上下方向に移動させる第１ねじと、前記保持部を上下方向に案内する第１ガイドピンとを含み、前記第２機構は、前記保持部の前後に設けられ、前記保持部の左右方向に延び、前記保持部を上下方向に移動可能に保持する第１及び第２移動体と、前記第１移動体を左右方向に貫通し、前記第１移動体を左右方向に移動させる第２ねじと、前記第２移動体を左右方向に貫通し、前記第２移動体を左右方向に案内する第２ガイドピンとを含む。
【発明の効果】
【００１６】
本発明によれば、内筒を排除し、かつ鏡筒の左右側壁から構造物が突出しないコンパクトなドットサイトを提供することが可能となる。
【図面の簡単な説明】
【００１７】
【図１】図１は、本発明の実施形態に係るドットサイトを示す前方斜視図である。
【図２】図２は、前記ドットサイトを示す後方斜視図である。
【図３】図３は、前記ドットサイトを示す正面図である。
【図４】図４は、前記ドットサイトを示す背面図である。
【図５】図５は、前記ドットサイトを示す平面図である。
【図６】図６は、前記ドットサイトを示す底面図である。
【図７】図７は、前記ドットサイトを示す左側面図である。
【図８】図８は、前記ドットサイトを示す右側面図である。
【図９】図９は、前記ドットサイトを示す断面図である。
【図１０】図１０Ａは、前記ドットサイトのドット調整機構を示す右側面図である。図１０Ｂは、前記ドットサイトのドット調整機構を示す平面図である。図１０Ｃは、図１０ＡのＡ−Ａ断面図である。図１０Ｄは、図１０ＢのＢ−Ｂ断面図である。図１０Ｅは、図１０ＢのＣ−Ｃ断面図である。
【図１１】図１１は、前記ドットサイトにおける機械的な口径食を説明するための断面図である。
【図１２】図１２Ａは、従来のドットサイトを示す断面図である。図１２Ｂは、従来のドットサイトにおける機械的な口径食を説明するための断面図である。
【発明を実施するための形態】
【００１８】
以下、本発明の実施形態に係るドットサイトについて、図面を参照しつつ説明する。
【００１９】
＜ドットサイトの概要＞
図１〜図８は、本発明の実施形態に係るドットサイト１の外観を示す。図９は、ドットサイト１の内部を示す。ドットサイト１は、主として、鏡筒１０、第１対物レンズ２１、第２対物レンズ２２、接眼レンズ２３、電源供給回路３０、ドット調整機構４０、光源５０及びクランプ機構６０によって構成される。
【００２０】
図１及び図２に示すように、第１及び第２対物レンズ２１、２２は、いずれも鏡筒１０の前方開口１０ａに固定される。一方、接眼レンズ２３は、鏡筒１０の後方開口１０ｂに固定される。電源供給回路３０及びドット調整機構４０は、いずれも鏡筒１０の上側に近接して設けられている。クランプ機構６０は、鏡筒１０の下側に設けられている。
【００２１】
図９に示すように、光源５０は、鏡筒１０内において、ドット調整機構４０の保持部４１に保持される。第２対物レンズ２２の表面には、所定波長の光のみを反射する層２２ａがコーティングされる。光源５０の点像は、第２対物レンズ２２の層２２ａに投影され、第２対物レンズ２２のほぼ中央に照準点（ＰＯＡ）を形成する。
【００２２】
光源５０は、電源供給回路３０から供給される電力によって点灯される。電源供給回路３０は、輝度調整ダイヤル３１を備えている。輝度調整ダイヤル３１を回すことにより、照準点の輝度を調整することが可能である。照準点の位置は、ドット調整機構４０によって、上下方向及び左右方向に移動させることが可能である。
【００２３】
＜鏡筒＞
図１〜図８に示すように、鏡筒１０は、大径の前方開口１０ａと、小径の後方開口１０ｂとを有する。既に述べたように、前方開口１０ａには、第１及び第２対物レンズ２１、２２が固定される。後方開口１０ｂには、接眼レンズ２３が固定される。図９に示すように、第１及び第２対物レンズ２１、２２と接眼レンズ２３との間における鏡筒１０の内面形状は、略円錐台となっている。第１及び第２対物レンズ２１、２２と接眼レンズ２３との間における鏡筒１０の内部空間Ｓには、光源５０及び保持部４１以外の機械的及び光学的な構造が存在しない。したがって、光源５０の点像は、他の部材を透過することなく、又他の部材に反射されることなく、第２対物レンズ２２の層２２ａに直接投影される。鏡筒１０の内部空間Ｓには、窒素又はアルゴン等の不活性ガスが充填される。内部空間Ｓに充填された不活性ガスは、鏡筒１０の内外の温度差による第２レンズ２２及び接眼レンズ２３の曇りを防止する。鏡筒１０の材質は、特に限定されるものではないが、例えば、アルミニウムやマグネシウム合金などの軽量の金属が好ましい。
【００２４】
＜レンズ＞
図９に示すように、第１及び第２対物レンズ２１、２２は、いずれも等倍の凸メニスカスレンズである。第１対物レンズ２１の裏面と、第２対物レンズ２２の表面とは、隙間なく接合され、１群のレンズを構成する。第２対物レンズ２２の表面には、光源５０から出射される所定波長の光のみを反射する層２２ａがコーティングされる。例えば、光源５０が赤色のＬＥＤである場合、層２２ａは、６４０ｎｍを中心とした波長の光を反射するダイクロックミラーコートとすることが好ましい。また、第１及び第２対物レンズ２１、２２の倍率は、特に限定されるものではないが、例えば、１〜３倍とすることが好ましい。本実施形態では、第１及び第２対物レンズ２１、２２の倍率を１倍とし、接眼レンズ２３を平面ガラスで構成している。
【００２５】
第１及び第２対物レンズ２１、２２は、ロックリング２５ａによって、鏡筒１０の外側から前方開口１０ａに固定される。一方、接眼レンズ２３は、ロックリング２５ｂによって、鏡筒１０の内側から後方開口１０ｂに固定される。第２対物レンズ２２の外周面と、前方開口１０ａの内周面との間には、Ｏリング２４ａが圧入されている。一方、接眼レンズ２３の裏面周縁と、後方開口１０ｂの内周縁との間には、Ｏリング２４ｂが圧入されている。これらのＯリング２４ａ、２４ｂによって、鏡筒１０の内部空間Ｓが密閉される。
【００２６】
＜電源供給回路＞
図９に示すように、電源供給回路３０は、輝度調整ダイヤル３１、第１回路基板３２、第２回路基板３３、接点３４、電池３５及び蓋３６を含む。輝度調整ダイヤル３１は、鏡筒１０の上側に回転自在に取り付けられている。輝度調整ダイヤル３１は、水平方向に回転可能な操作部であるとともに、電源供給回路３０のハウジングを構成する。すなわち、第１回路基板３２、第２回路基板３３、接点３４及び電池３５は、いずれも輝度調整ダイヤル３１の内部に収容される。第１回路基板３２は、輝度調整ダイヤル３１のほぼ中央に固定され、輝度調整ダイヤル３１の上部に電池３５の収容部を形成する。この収容部は、蓋３６によって密閉される。第１回路基板３２、電池３５及び蓋３６は、輝度調整ダイヤル３１とともに水平方向に回転する。一方、接点３４は、第２回路基板３３に固定される。第２回路基板３３は、鏡筒１０の上側に固定される。
【００２７】
電池３５の電力は、第１回路基板３２、接点３４及び第２回路基板３３を介して、光源５０に供給される。輝度調整ダイヤル３１を水平方向に回転させると、第１回路基板３２と接点３４との接触位置が変更され、第１回路基板３２の抵抗値が変化する。この結果、光源５０の明るさが変化し、第２対物レンズ２２の層２２ａに投影された照準点の輝度が調整される。
【００２８】
＜ドット調整機構＞
図９に示すように、ドット調整機構４０は、上述した電源供給回路３０とともに、鏡筒１０の上側に設けられている。以下、ドット調整機構４０について、図１０Ａ〜図１０Ｅを参照しつつ説明する。ドット調整機構４０は、光源５０を上下方向に移動させるための第１機構と、第１機構を左右方向に移動させるための第２機構とを含む。
【００２９】
第１機構は、保持部４１、スプリング４２、エレベーション調整ねじ４３及び一対の第１ガイドピン４４、４４で構成される。上述したように、保持部４１は、光源５０を保持する。スプリング４２は、ドット調整機構４０のハウジング内に水平に設けられ、保持部４１を上下方向及び左右方向に移動可能に支持する。エレベーション調整ねじ４３は、ドット調整機構４０のハウジングの上壁に垂直に螺合する。エレベーション調整ねじ４３の上端には、これを回転させるためのマイナス溝が設けられている。一方、エレベーション調整ねじ４３の下端は、ドット調整機構４０のハウジング内において、保持部４１の上面に当接する。一対の第１ガイドピン４４、４４は、保持部４１を垂直に貫通する。
【００３０】
エレベーション調整ねじ４３を回転させることにより、保持部４１が、第１ガイドピン４４、４４に沿って上下方向に移動する。この結果、光源５０の位置が上下方向に変化し、第２対物レンズ２２の層２２ａに投影された照準点の位置が上下方向に調整される。
【００３１】
第２機構は、第１移動体４５、第２移動体４６、ウインデージ調整ねじ４７及び第２ガイドピン４８で構成される。第１及び第２移動体４５、４６は、ドット調整機構４０のハウジング内における保持部４１の前後に設けられる。第１及び第２移動体４５、４６は、保持部４１の左右方向に延び、保持部４１を上下方向に移動可能に保持する。例えば、第１及び第２移動体４５、４６には、上下方向に延びる凸部が設けられ、保持部４１には、上下方向に延びる凹部が設けられる。これらの凸部と凹部とが結合することにより、保持部４１は、第１及び第２移動体４５、４６の間において、凸部及び凹部に沿って上下方向に移動可能に保持される。
【００３２】
ウインデージ調整ねじ４７及び第２ガイドピン４８は、ドット調整機構４０のハウジングの左右側壁に水平かつ平行に支持される。ウインデージ調整ねじ４７は、第１移動体４５を左右方向に貫通する。第２ガイドピン４８は、第２移動体４６を左右方向に貫通する。第１移動体４５の貫通孔には、雌ねじが形成される。ウインデージ調整ねじ４７は、第１移動体４５の雌ねじに螺合される。図７に示すように、ウインデージ調整ねじ４７の一端には、これを回転させるためのマイナス溝が設けられている。
【００３３】
ウインデージ調整ねじ４７を回転させることにより、第１移動体４５が左右方向に移動する。第１移動体４５の移動は、保持部４１及び第２移動体４６に伝達される。保持部４１は、第２移動体４６を介して第２ガイドピン４８に案内され、安定した状態で左右方向に移動する。この結果、光源５０の位置が左右方向に変化し、第２対物レンズ２２の層２２ａに投影された照準点の位置が左右方向に調整される。
【００３４】
＜クランプ機構＞
図２に示すように、鏡筒１０の下側には、クランプ機構６０が設けられている。クランプ機構６０は、ロックボルト６１を回転させることによって、水平方向に開閉可能な構成となっている。クランプ機構６０は、例えば、図示しない銃に設けられたピカティーニレールを挟持する。
【００３５】
図６及び図９に示すように、クランプ機構６０は、２本の連結ボルト６２ａ、６２ｂによって鏡筒１０の下側に固定される。また、図９に示すように、クランプ機構６０の中央には、スクリュープラグ６３が螺合される。スクリュープラグ６３は、クランプ機構６０から鏡筒１０の内部空間Ｓに達する貫通孔を密閉する。上述した不活性ガスは、スクリュープラグ６３が螺合される貫通孔から鏡筒１０の内部空間Ｓに充填される。
【００３６】
＜第１の効果＞
本実施形態のドットサイト１は、機械的な口径食を最小限に抑えることが可能である。図１１に示すように、ドットサイト１は、従来技術のような内筒１１１（図１２を参照）を使用しないで、照準点（ＰＯＡ）の位置を調整することが可能である。これに加えて、鏡筒１０の内部空間Ｓは、接眼側から対物側に広がる略円錐台となっており、かつ視野線Ｌに干渉する部材が、内部空間Ｓの中に存在しない。これにより、機械的な口径食が最小限に抑えられ、ドットサイト１の視野が大幅に広がる。したがって、本実施形態のドットサイト１によれば、迅速かつ正確な照準が可能となる。
【００３７】
＜第２の効果＞
図１０Ｃ〜図１０Ｅに示すように、本実施形態のドットサイト１は、質量の小さい保持部４１により光源５０を保持する構成となっている。質量の小さい保持部４１は、銃を撃ったときの衝撃（重力加速度）によって動き難い。したがって、ドットサイト１のドット調整機構４０は、銃を撃ったときの衝撃を受けても、ゼロイングした照準点がずれ難い。
【００３８】
＜第３の効果＞
図１０Ｃ〜図１０Ｅに示すように、本実施形態のドットサイト１は、ドット調整機構４０のハウジング内において、保持部４１の上下方向及び左右方向のクリアランスを大きくすることにより、照準点の移動量を増大させることが可能である。このように照準点の移動量を増大させた場合でも、図１１に示す機械的な口径食の範囲が広がることはない。
【００３９】
＜第４の効果＞
図４に示すように、本実施形態のドットサイト１は、電源供給回路３０及びドット調整機構４０を鏡筒１０の上側に設け、かつ鏡筒１０の左右側壁には、如何なる構造物も突出しない構成となっている。この構成により、ユーザーが一方の目でドットサイト１を覗いたときに、ドットサイト内を覗いていない他方の目の視界が妨げられることがない。したがって、ユーザーは、ドットサイト内を覗いていない他方の目でターゲット及びその周辺を良好に視認することが可能である。
【００４０】
＜第５の効果＞
本実施形態のドットサイト１は、従来技術における内筒１１１（図１２を参照）、内筒１１１を外筒１１０の内部に保持するための構成、及び内筒１１１を上下左右の方向に移動可能とするための構成の排除を可能とする。この結果、ドットサイト１は、極めて軽量かつコンパクトとなる。
【００４１】
＜その他＞
本発明のドットサイトは、上述した実施形態の構成に限定されるものではない。当業者は、本発明の趣旨及び範囲から逸脱することなく、形式及び細部で変更が可能であることを認識するであろう。
【符号の説明】
【００４２】
１  ドットサイト
１０  鏡筒
１０ａ  前方開口
１０ｂ  後方開口
２１  第１対物レンズ
２２  第２対物レンズ
２２ａ  層
２３  接眼レンズ
２４ａ、２４ｂ  Ｏリング
２５ａ、２５ｂ  ロックリング
３０  電源供給回路
３１  輝度調整ダイヤル
３２  第１回路基板
３３  第２回路基板
３４  接点
３５  電池
３６  蓋
４０  ドット調整機構
４１  保持部
４２  スプリング
４３  エレベーション調整ねじ（第１ねじ）
４４  第１ガイドピン
４５  第１移動体
４６  第２移動体
４７  ウインデージ調整ねじ（第２ねじ）
４８  第２ガイドピン
５０  光源
６０  クランプ機構
６１  ロックボルト
６２ａ、６２ｂ  連結ボルト
６３  スクリュープラグ
Ｓ  内部空間
Ｌ  視野線
ＰＯＡ  照準点
【図１】
2020049609.tif 000003
【図２】
2020049609.tif 000004
【図３】
2020049609.tif 000005
【図４】
2020049609.tif 000006
【図５】
2020049609.tif 000007
【図６】
2020049609.tif 000008
【図７】
2020049609.tif 000009
【図８】
2020049609.tif 000010
【図９】
2020049609.tif 000011
【図１０Ａ】
2020049609.tif 000012
【図１０Ｂ】
2020049609.tif 000013
【図１０Ｃ】
2020049609.tif 000014
【図１０Ｄ】
2020049609.tif 000015
【図１０Ｅ】
2020049609.tif 000016
【図１１】
2020049609.tif 000017
【図１２Ａ】
2020049609.tif 000018
【図１２Ｂ】
2020049609.tif 000019
【手続補正書】
【提出日】令和3年2月25日(2021.2.25)
【手続補正１】
【補正対象書類名】図面
【補正対象項目名】全図
【補正方法】変更
【補正の内容】
【図１】
2020049609.tif 000020
【図２】
2020049609.tif 000021
【図３】
2020049609.tif 000022
【図４】
2020049609.tif 000023
【図５】
2020049609.tif 000024
【図６】
2020049609.tif 000025
【図７】
2020049609.tif 000026
【図８】
2020049609.tif 000027
【図９】
2020049609.tif 000028
【図１０】
2020049609.tif 000029
【図１１】
2020049609.tif 000030
【図１２】
2020049609.tif 000031
【国際調査報告】
2020049609.tif 000032
2020049609.tif 000033
2020049609.tif 000034
2020049609.tif 000035